【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて当否判定が行われると所定の表示領域にて複数の図柄が変動表示され、停止表示されたときの態様が当り態様の場合に遊技者にとって有利な特別遊技を行う遊技機であって、
前記複数の図柄が前記当否判定の結果に基づいた態様で停止表示される前であって、前記複数の図柄のうち最終表示図柄を除く他の図柄が前記表示領域内の所定の停止表示位置に表示された状態で、前記最終表示図柄として前記当り態様を構成しない特殊図柄を前記表示領域内の所定の停止表示位置に表示させるか否かを示す特殊演出を、前記特殊図柄を認識可能としつつ行う特殊演出実行手段と、
前記特殊演出を経て、前記最終表示図柄として前記特殊図柄を前記停止表示位置に表示させる特殊図柄停止表示手段と、
前記特殊図柄が表示されると、前記複数の図柄を再変動表示させる再変動表示実行手段と、
を備え、
前記特殊演出実行手段は、実行時間が異なる複数の前記特殊演出の中から選択される一の前記特殊演出を実行可能であるとともに、
前記特殊演出として、前記特殊演出の実行時間が第１実行時間とされる第１特殊演出と、前記第１実行時間よりも長い第２実行時間とされる第２特殊演出を実行可能であり、前記第２特殊演出に基づく再変動表示の実行可能回数は、前記第１特殊演出に基づく再変動表示の実行可能回数よりも少ない
ことを特徴とする遊技機。
【請求項２】
請求項１に記載の遊技機であって、
前記第１特殊演出又は前記第２特殊演出に基づく再変動表示の回数が多い程、前記当否判定の結果が当りの可能性が高い
ことを特徴とする遊技機。
【手続補正２】
【補正対象書類名】明細書
【補正対象項目名】０００７
【補正方法】変更
【補正の内容】
【０００７】
本発明の遊技機は、
始動口への遊技球の入球に基づいて当否判定が行われると所定の表示領域にて複数の図柄が変動表示され、停止表示されたときの態様が当り態様の場合に遊技者にとって有利な特別遊技を行う遊技機であって、
前記複数の図柄が前記当否判定の結果に基づいた態様で停止表示される前であって、前記複数の図柄のうち最終表示図柄を除く他の図柄が前記表示領域内の所定の停止表示位置に表示された状態で、前記最終表示図柄として前記当り態様を構成しない特殊図柄を前記表示領域内の所定の停止表示位置に表示させるか否かを示す特殊演出を、前記特殊図柄を認識可能としつつ行う特殊演出実行手段と、
前記特殊演出を経て、前記最終表示図柄として前記特殊図柄を前記停止表示位置に表示させる特殊図柄停止表示手段と、
前記特殊図柄が表示されると、前記複数の図柄を再変動表示させる再変動表示実行手段と、
を備え、
前記特殊演出実行手段は、実行時間が異なる複数の前記特殊演出の中から選択される一の前記特殊演出を実行可能であるとともに、
前記特殊演出として、前記特殊演出の実行時間が第１実行時間とされる第１特殊演出と、前記第１実行時間よりも長い第２実行時間とされる第２特殊演出を実行可能であり、前記第２特殊演出に基づく再変動表示の実行可能回数は、前記第１特殊演出に基づく再変動表示の実行可能回数よりも少ないことを特徴とする。
また、前記第１特殊演出又は前記第２特殊演出に基づく再変動表示の回数が多い程、前記当否判定の結果が当りの可能性が高いことを特徴とする。 
本明細書において参考的に開示する関連発明の遊技機は、
始動口への遊技球の入球に基づいて当否判定が行われると所定の表示領域にて複数の図
柄が変動表示され、該変動表示を経て前記複数の図柄が前記当否判定の結果に基づいた態
様で停止表示され、該停止表示されたときの態様が当り態様の場合に遊技者にとって有利
な特別遊技を行う遊技機であって、
前記複数の図柄が前記当否判定の結果に基づいた態様で停止表示される前であって、前
記複数の図柄のうち最終停止図柄を除く他の図柄が前記表示領域内の所定の停止表示位置
に停止表示された状態で、前記最終停止図柄として前記当り態様を構成しない特殊図柄を
前記表示領域内の所定の停止表示位置に停止表示させるか否かを示す停止前演出を、前記
特殊図柄を認識可能としつつ行う停止前演出実行手段と、
前記停止前演出を経て、前記最終停止図柄として前記特殊図柄を前記停止表示位置に停
止表示させる特殊図柄停止表示手段と、
前記特殊図柄が停止表示されると、前記複数の図柄を再変動表示させる再変動表示実行
手段と、
を備え、
前記停止前演出実行手段は、前記停止前演出の実行時間が異なる複数の演出パターンの
中から選択される一の演出パターンに基づいて前記停止前演出を実行可能であるとともに
、
前記停止前演出として、前記停止前演出の実行時間が第１実行時間とされる第１停止前
演出と、前記第１実行時間よりも長い第２実行時間とされる第２停止前演出を実行可能で
あり、前記第２停止前演出に基づく再変動表示の実行可能回数は、前記第１停止前演出に
基づく再変動表示の実行可能回数よりも少なく、
前記停止前演出の実行時間が長い程、前記当否判定の結果が当りの可能性が高いことを
特徴とする。
【手続補正３】
【補正対象書類名】明細書
【補正対象項目名】０００８
【補正方法】変更
【補正の内容】
【０００８】
請求項１の発明又は関連発明の遊技機では、表示演出において「停止前演出（停止煽り演出）」を実行するばかりか、「停止前演出の実行パターンによって当り可能性（当り信頼度）を示す」といった新たな演出手法を使用する。つまり、遊技者が、特殊図柄の斬新な演出動作（停止前演出）に遭遇することで、この遊技者の「演出に対する注目度」や「当りに対する期待度」を高めることができる。
【手続補正４】
【補正対象書類名】明細書
【補正対象項目名】０００９
【補正方法】変更
【補正の内容】
【０００９】
しかも、「停止前演出の実行パターンによって当り可能性（当り信頼度）を示す」とい
った新たな演出手法を採用するため、新鮮味のある表示演出（図柄変動演出）を実現でき
る。従って、請求項１の発明又は関連発明によると、遊技者に強いインパクトを与える演出を実行可能で、遊技興趣を効果的に高めることができる。
【手続補正５】
【補正対象書類名】明細書
【補正対象項目名】００１０
【補正方法】変更
【補正の内容】
【００１０】
また、関連発明の遊技機では、（ａ）実行時間の短い停止前演出を実行しつつ再変動表示の実行回数を多くする場合と、（ｂ）実行時間の長い停止前演出を実行しつつ再変動表示の実行回数を少なくする場合とで、当り可能性（当り信頼度）を同等とすること等によって、演出のバリエーションを増加させ、遊技興趣を更に高めることを意図している。
【手続補正６】
【補正対象書類名】明細書
【補正対象項目名】００１１
【補正方法】変更
【補正の内容】
【００１１】
関連発明によると、例えば、当否判定の結果が当りの場合、再変動表示の回数が多いから「実行中の表示演出（変動表示）」が当りを表示しているものであると遊技者に認識させたり、停止前演出に要する時間が長いから「実行中の表示演出（変動表示）」が当りを表示しているものであると遊技者に認識させたりすることができる。
【手続補正７】
【補正対象書類名】明細書
【補正対象項目名】００１２
【補正方法】変更
【補正の内容】
【００１２】
つまり、関連発明によると、「再変動表示の実行回数の多少によって当り信頼度を示す表示演出（変動表示）」と、「停止前演出の実行パターン（停止前演出の実行時間）によって当り信頼度を示す表示演出（変動表示）」とを択一的に実行する。このため、請求項１の発明によると、演出のバリエーションを増加させ、遊技興趣を更に高めることができる。